(57)【要約】【課題】ボルトに対してナットを一旦締め込んだ後はナットを空回りさせるようにした上で、管理者が望む場合には締め込んだナットを一般的な工具を用いて緩められるようにすること。【解決手段】ボルトに螺合する内ナット２０１とこれを覆う外ナット１０１とを連結片３１１，３１２で連結して外ナット１０１を回せば内ナット２０１も回るようにしつつ、内ナット２０１と外ナット１０１との間に発生する回転トルクが規定のトルクを超えると連結片３１１，３１２が破断して外ナット１０１が空回りする仕掛けとする。これにより第三者は防犯ナット１１を緩めることができなくなる一方、管理者が防犯ナット１１を緩めたい場合には外ナット１０１に外力を加えて内ナット２０１から脱落させ、連結片３１１，３１２の破断後にも工具を回り止めしてセット可能な状態に維持されている内ナット２０１を露出させるようにした。【選択図】図３
2014084925.tif 000002
【特許請求の範囲】
【請求項１】
工具を回り止めしてセット可能な外側面と、ボルトに螺合する雌ネジと、前記ボルトと共に締め付ける締着対象物に当接する当接部とを備える内ナットと、
工具を回り止めしてセット可能な外側面を備え、前記当接部以外の部分を覆う形態で前記内ナットに対して同軸上に回転自在に取り付けられ、外力を加えることによって前記内ナットに対する取り付け部分が破壊して当該内ナットから脱落する外ナットと、
前記内ナットの外側面と前記外ナットの内側面とを連結し、前記内ナットと前記外ナットとの間に発生する回転トルクが予め決められた規定のトルクを超えると破断する連結片と、
前記内ナットの外側面を前記連結片の破断後にも工具を回り止めしてセット可能な抜き取り可能状態に維持する機能維持手段と、
を備えることを特徴とする防犯ナット。
【請求項２】
前記連結片は、
前記内ナットの外側面から放射方向に延びる内連結片と、
前記外ナットの内側面から中心方向に延びて前記内ナットと前記外ナットとの間の相対回転によって前記内連結片に干渉する外連結片と、
を備え、
前記機能維持手段は、前記内連結片を前記内ナットの外側面根元部分のみに配置することによって前記内ナットの外側面を前記抜き取り可能状態に維持する、
ことを特徴とする請求項１に記載の防犯ナット。
【請求項３】
前記機能維持手段は、前記内ナットの外側面と前記外ナットの内側面とのそれぞれに軸方向に沿って形成した溝に前記連結片を嵌め込んで前記内ナットと前記外ナットとを連結し、これによって前記内ナットの外側面を前記抜き取り可能状態に維持する、
ことを特徴とする請求項１に記載の防犯ナット。
【請求項４】
前記機能維持手段は、前記外ナットの外側面から中心方向に延びる前記連結片を前記内ナットの外側面に形成した溝に前記連結片を嵌め込んで前記内ナットと前記外ナットとを連結し、これによって前記内ナットの外側面を前記抜き取り可能状態に維持する、
ことを特徴とする請求項１に記載の防犯ナット。
【請求項５】
前記連結片を用いた前記内ナットと前記外ナットとの連結箇所を複数個所設けた、
ことを特徴とする請求項１ないし４のいずれか一に記載の防犯ナット。
【発明の詳細な説明】
【技術分野】
【０００１】
本発明は、高圧送電線を支持する送電用鉄塔などに用いられてボルトと共に鉄塔部材を締着するナットに係り、特に一旦締め込んだ後は悪戯などによって脱落させることをできないようにした防犯ナットに関する。
【背景技術】
【０００２】
高圧送電線を支持する送電用鉄塔は、複数個の鉄塔部材をボルトとナットで締着して構築されている。送電用鉄塔に限らず他の種類の鉄塔も同様の構造である。このためナットを緩めてボルトを抜き取ると鉄塔が倒壊してしまう。昨今このようなボルトの抜き取りによる送電用鉄塔やその他の鉄塔の倒壊が数多く発生している。例えば特許文献１には、次に示すような事件が報告されている。
（１）１９９８年２月２０日  香川県坂出市で発生。送電線鉄塔倒壊
（２）２００３年５月１４日  香川県の防災行政無線の鉄塔。ボルト１０本抜き取り
（３）２００５年５月１１日  兵庫県あわじ市福良。送電用鉄塔のボルト３０本抜き取り
（４）２００５年５月２５日  ロシア共和国。数十基の鉄塔倒壊
ここに示すものは特許文献１に示されているものだけにすぎない。氷山の一角である。同種の事件は各地で多発している。電力事業者にとっては悩ましい限りである。
【０００３】
ボルトを抜き取って鉄塔を倒壊させる目的は不明である。推察するに愉快犯が悪戯目的で行なっていることが多いように思われる。だが中にはテロ目的の場合があるかもしれない。というのも鉄塔が倒壊した場合には大きな社会的ダメージが発生する可能性があるからである。例えば上記（１）の事例の場合、特許文献１は、約２０万戸が２０時間停電し、約３万戸の家庭のガスが止まり、四国電力周辺の生産企業だけでも約６０億円の損害が発生したと報告している。上記（４）の事例の場合にはもっと停電時間が長く、モスクワ市内が二昼夜にわたり大停電になるという未曾有の事態が発生したと特許文献１は報告している。
【０００４】
その目的が何であれ送電線鉄塔などの鉄塔を倒壊させる行為は悪戯で済ませられることではない。意図するかしないかに関わらずテロ行為と断ずべき重大な犯罪行為である。このため従来から送電線鉄塔におけるボルトの抜き取りを抑制し防止する様々な対策が提案され、実際に運用されてもいる。
【０００５】
例えば特許文献２は、ボルト１に螺合するナット（ナット２及び摺動ナット５）を外筒７に収め、外筒７に貫通孔１５を形成して摺動ナット５に固定用孔１４を形成し、貫通孔１５に挿入した連結ピン１６を固定用孔１４に導入して外筒７と摺動ナット５とを連結した発明を開示している（符号はいずれも特許文献２のもの）。工具を用いた外筒７の締め付け最終時に外筒７に大きな締付トルクを作用させて連結ピン１６をせん断し、ナット（ナット２及び摺動ナット５）の周囲を外筒７が空回りしてその取り外しを不可能にするというわけである。
【０００６】
別の一例として特許文献３は、段落０００７〜０００８に記載されている第２の発明として、ボルト（Ｘ）に螺合するナット（Ｙ）に筒カバー（１）を被せて操作できなくしておき、筒カバー（１）の上からテーパー内リング（２´）とテーバー外ナット（３´）とを一体化させたものをボルト（Ｘ）に螺合させて締め込み、筒カバー（１）を脱落できないようにすることを開示している（符号はいずれも特許文献３のもの）。ボルト（Ｘ）に螺合するのはテーパー内リング（２´）であり、テーバー外ナット（３´）はテーパー内リング（２´）の外側に回転自在に連結している。つまりテーバー外ナット（３´）はその内周面に凹溝（７）を設け、この凹溝（７）に嵌合する突起（６）をテーパー内リング（２´）の外周面に設けている。テーバー外ナット（３´）を締め付けることによって突起（６）を切断し、テーバー外ナット（３´）を空回りさせるという仕掛けである。
【先行技術文献】
【特許文献】
【０００７】
【特許文献１】特開２００７−０１０１２６号公報
【特許文献２】特開２０００−０００２２５号公報
【特許文献３】特開２０００−１７９５２８号公報
【発明の概要】
【発明が解決しようとする課題】
【０００８】
送電用鉄塔などの鉄塔は一度設置したらメンテナンスフリーというわけにいかない。適宜鉄塔部材を改修したり交換したりする必要がある。また一度設置した鉄塔そのものを撤去することもある。このためナットを緩めボルトを鉄塔部材から抜き取るという作業を鉄塔の管理者、例えば電力事業者の側で行なうことも考慮に入れなければならない。
【０００９】
ところが上記の特許文献２及び３は、鉄塔の管理者側が行なうボルトの抜き取りについて考慮していない。つまりこれらの文献に記載の発明では、ボルトに対してナットを一旦締着した後は、鉄塔の管理者といえどもナットを緩めてボルトを抜き取ることができないという問題がある。
ではどうしてもボルトを抜き取りたい場合はどうするのか。
実運用では電動ノコギリなどを用いてボルトのヘッドを切り落すようにしている。電動ノコギリと発電機を用意しなければならず、作業負担も大きい大変な作業である。より簡易な手法が望まれるところである。
【００１０】
本発明はこのような点に鑑みなされたもので、ボルトに対してナットを一旦締め込んだ後はナットを空回りさせるようにした上で、管理者が望む場合には締め込んだナットを一般的な工具を用いて緩められるようにすることを目的とする。
【課題を解決するための手段】
【００１１】
本発明の防犯ナットは、工具を回り止めしてセット可能な外側面と、ボルトに螺合する雌ネジと、前記ボルトと共に締め付ける締着対象物に当接する当接部とを備える内ナットと、工具を回り止めしてセット可能な外側面を備え、前記当接部以外の部分を覆う形態で前記内ナットに対して同軸上に回転自在に取り付けられ、外力を加えることによって前記内ナットに対する取り付け部分が破壊して当該内ナットから脱落する外ナットと、前記内ナットの外側面と前記外ナットの内側面とを連結し、前記内ナットと前記外ナットとの間に発生する回転トルクが予め決められた規定のトルクを超えると破断する連結片と、前記内ナットの外側面を前記連結片の破断後にも工具を回り止めしてセット可能な抜き取り可能状態に維持する機能維持手段と、を備えることによって上記課題を解決した。
【発明の効果】
【００１２】
本発明によれば、管理者がボルトの抜き取りを望む場合、外ナットに外力を加えて内ナットから脱落させて内ナットを露出させることができ、このとき内ナットは連結片の破断後にも工具を回り止めしてセット可能な抜き取り可能状態に維持されているために工具をセットして内ナットを緩めることができ、したがって外ナットを脱落させることができることを知らない第三者に対してはボルトの抜き取り防止効果を発揮させつつ、ボルトを抜き取らなければならない事態が発生した場合には簡単な作業によって内ナットを緩めボルトを抜き取ることができ、そのときの作業負担を軽くすることができる。
【図面の簡単な説明】
【００１３】
【図１】第１の実施の形態を示す防犯ナット全体の正面図。
【図２】防犯ナット全体の側面図。
【図３】防犯ナット全体の縦断側面図。
【図４】防犯ナット全体の分解縦断側面図。
【図５】図３のＡＡ線断面図。
【図６】第２の実施の形態を示す防犯ナット全体の縦断側面図。
【図７】防犯ナット全体の分解縦断側面図。
【図８】図６のＢＢ線断面図（連結片はＢＢ線で切断せず）。
【図９】第３の実施の形態を示す防犯ナット全体の縦断側面図。
【図１０】防犯ナット全体の分解縦断側面図。
【図１１】図９のＣＣ線断面図。
【発明を実施するための形態】
【００１４】
実施の形態を図面に基づいて説明する。
本実施の形態は、高圧送電線を支持する送電用鉄塔を構成する二つ以上の鉄塔部材をボルトと共に締着する防犯ナット１１に関するものである（防犯ナット１１以外は全て図示せず）。つまり防犯ナット１１は二つ以上の鉄塔部材を締着対象物としている。
ここでは次の項目に沿って三つの実施の形態を紹介する。
≪共通の要素≫
≪第１の実施の形態≫
１．構造
（１）基本構造
（２）連結構造
（３）機能維持手段
２．作用効果
≪第２の実施の形態≫
１．構造
２．作用効果
≪第３の実施の形態≫
１．構造
２．作用効果
≪変形例≫
【００１５】
≪共通の要素≫
第１〜第３の実施の形態に共通する要素をまず説明する。共通する要素については図１及び図２に示している。
【００１６】
防犯ナット１１はその外観上、外ナット１０１のみから構成されているように見える。外ナットは六角筒形状の外ヘッド１１１を円環形状の外基台１３１が支えている形状である。だがよく見ると防犯ナット１１は、外基台１３１の下方に二層の部材を有していることに気がつく。図２を参照されたい。外基台１３１の直下に位置するのは連結リング２７１、その下に位置するのはエンドリング２９１である。いずれも円環形状をしている。
【００１７】
図２を更に観察すると、エンドリング２９１の下に覗いているものがあるのが分かる。当接部２５４である。当接部２５４は防犯ナット１１がボルト（図示せず）と共に締め付ける締着対象物に当接する部分である。実はこの当接部２５４、外ナット１０１の一部のように見えるがそうではなく、後述する内ナット２０１の一部である（図３〜図４、図６〜図７、図９〜図１０参照）。より正確には内ナット２０１の一部として設けられているボス２５１の端面に形成されているのが当接部２５４である。この構造については後に詳しく説明する。
【００１８】
ところで外ヘッド１１１は、六角柱形状になっているが故に六面の平坦面をその外側面１１１ａとしている。これらの外側面１１１ａにはレンチなどの工具を周り止めしてセットすることができ、セットした工具でもって外ナット１０１を回転させることができる。
【００１９】
以上が第１〜第３の実施の形態に共通する要素である。
【００２０】
≪第１の実施の形態≫
第１の実施の形態を図３ないし図５に基づいて説明する。言うまでもないが、各実施の形態に共通する要素を示す図１及び図２も参照されたい。
【００２１】
１．構造
（１）基本構造
図３及び図４に示すように、外ナット１０１の主体をなす外ヘッド１１１は一面に開口１１２を有するキャップ形状をしており、内部が空洞になっている。外基台１３１は外ヘッド１１１の開口１１２の側の端面に溶接などの手法で固定され、外ヘッド１１１の開口１１２に連絡する開口１３２を有している。外基台１３１はまたその外周面にフランジ１３３を備えている。フランジ１３３は外ヘッド１１１と反対側の面に形成されている。
【００２２】
防犯ナット１１はもとよりナットであり、ボルト（図示せず）に螺合してボルトと共に締着対象物を定着することを本旨とする。このような防犯ナット１１の本旨をなすナットとしての基本機能を果たすのは内ナット２０１である。内ナット２０１は外ナット１０１に収容され、防犯ナット１１の外観からはその存在を窺い知れないようになっている（図３参照）。
【００２３】
図３〜図５に示すように、内ナット２０１は六角筒形状の内ヘッド２１１を円環形状の内基台２３１が支えている形状のものである。内ナット２０１は中心部分に雌ネジ２１２が切られた貫通孔を有しており、その両端はいずれも開口している。雌ネジ２１２はボルト（図示せず）に螺合する。また内ヘッド２１１は六角柱形状になっているが故に六面の平坦面をその外側面２１１ａとしている。これらの外側面２１１ａにはレンチなどの工具を周り止めしてセットすることができ、セットした工具でもって内ナット２０１を回転させることができる。
【００２４】
図３及び図５に示すように、内基台２３１は内ヘッド２１１の一端に溶接などの手法で固定され、内ヘッド２１１の開口に連絡する開口２３２を有している。内基台２３１はまた円環形状のボス２５１を備えている。ボス２５１は内基台２３１の端面に溶接などの手法で固定され、内基台２３１の開口２３２に連絡する開口２５２を有している。したがって内ヘッド２１１の両端の開口と内基台２３１の開口２３２とボス２５１の開口２５２とは全て連絡している。
【００２５】
ボス２５１はその先端側から半分程度の領域に雄ネジ２５３を切っている。雄ネジ２５３はボス２５１の直径よりも僅かに小径に形成されている（図３及び図４参照）。
【００２６】
外ナット１０１と内ナット２０１との組み合わせについて説明する。
外ナット１０１に形成された開口１１２、１３２に内ナット２０１の内ヘッド２１１を入れる。すると外基台１３１のフランジ１３３に内基台２３１が嵌り込む。このときフランジ１３３の内周面と内基台２３１の外周面とはタイトに嵌り合わず、外ナット１０１と内ナット２０１とが互いに回転できる程度の状態で嵌り合う。またフランジ１３３の深さは内基台２３１の厚みよりも僅かに深く設定されている。
【００２７】
図２に示した連結リング２７１を思い出されたい。
連結リング２７１は外ナット１０１のフランジ１３３と同じ径に形成された円環形状のリングである。中心にリング孔２７２を有している。リング孔２７２は内ナット２０１が備える内基台２３１の直径よりは小径でボス２５１の直径よりは大径に形成されている。そこでフランジ１３３の端面に連結リング２７１を当接させて固定すれば、フランジ１３３と連結リング２７１との間に内基台２３１が回転自在に収容され、外ナット１０１と内ナット２０１とが互いに回転自在に連結される。フランジ１３３の端面と連結リング２７１とは例えば溶接などの手法によって固定することができる。
【００２８】
このような外ナット１０１のフランジ１３３と連結リング２７１とを主軸とした内ナット２０１に対する外ナット１０１の取り付け構造は、実はもう一つ重要な役割を担っている。それは内ナット２０１に対する外ナット１０１の取り付け状態をあまり強靭なものにしないという役割である。ではどの程度の取り付け強度が望ましいのか。具体例をもって説明すると、外ナット１０１に外力、例えば外ヘッド１１１をハンマーで強く打ち付ける程度の外力を及ぼした場合、内ナット２０１から外ナット１０１を脱落させることができる程度の取り付け強度が理想的である。このように外ヘッド１１１をハンマーで強く打ち付けた際、
・フランジ１３３と連結リング２７１との溶接が剥がれるようにする
・フランジ１３３、連結リング２７１、内基台２３１などが変形するようにする
という手法で外ナット１０１の脱落を実現させることができる。
【００２９】
図２に示したエンドリング２９１を思い出されたい。
エンドリング２９１は外ナット１０１のフランジ１３３及び連結リング２７１と同じ径に形成された円環形状のリングである。中心に雌ネジ孔２９２を形成している。雌ネジ孔２９２は内ナット２０１が備える内基台２３１に形成された雄ネジ２５３に螺合する。
ここで寸法関係を確認する。ボス２５１は先端側から半分程度の領域に雄ネジ２５３を形成していることは既に述べたとおりである。ボス２５１における根元側の残りの半分の領域はねじ切りされていない。このねじ切りされていない領域が先に述べた雄ネジ２５３よりも僅かに大径に形成されている部分である。そして重要なことは、ボス２５１のねじ切りされていない部分の軸方向長さは連結リング２７１の厚みよりも僅かに大きな寸法に形成されているということである。このためエンドリング２９１の雌ネジ孔２９２をボス２５１の雄ネジ２５３に螺合させて最後まで締め込んでも、連結リング２７１の回転、つまりは外ナット１０１と内ナット２０１との間の回転を阻害することがない。
【００３０】
寸法関係についてもう一つ確認する。ボス２５１に形成された雄ネジ２５３の軸方向長さとエンドリング２９１の厚みとの関係である。本実施の形態では雄ネジ２５３の軸方向長さの方がエンドリング２９１の厚みよりも大きな寸法に設定されている。これによって図２に基づいて説明した前述の状態、つまりエンドリング２９１の下からボス２５１が僅かに覗き突出する状態が実現される。これによって防犯ナット１１は、ボルトと共に締着対象物を定着するに際して、ボス２５１の先端に形成されている当接部２５４のみを締着対象物に当接させることができる。
【００３１】
（２）連結構造
以上、外ナット１０１と内ナット２０１とが互いに回転自在に組み合わされることについて説明した。これに対して防犯ナット１１は、外ナット１０１と内ナット２０１とを連結する構造を備えている。この構造について次に説明する。
【００３２】
図５に示すように、外ナット１０１はその外ヘッド１１１の内側面に外連結片３１１を備えており、内ナット２０１はその内ヘッド２１１の外側面２１１ａに内連結片３１２を備えている。外連結片３１１は外ヘッド１１１の六面ある内側面の中央付近から中心方向に延びている。内連結片３１２は内ヘッド２１１の六個の角部付近から放射方向に延びている。これらの外連結片３１１と内連結片３１２とは外ナット１０１と内ナット２０１とが回転した際に互いに干渉し合う延出長さで形成されている。したがって外ナット１０１を回転させた場合の回転力を内ナット２０１に伝達する仕組みを構成する。
【００３３】
連結片３１１と内連結片３１２とからなる連結片は、実はもう一つ重要な役割を担っている。それは内ナット２０１と外ナット１０１との間に発生する回転トルクが予め決められた規定のトルクを超えると破断するという役割である。規定のトルクは、ボルト（図示せず）と内ナット２０１とによる締着対象物の締着に必要な規定のトルクである。一般的にはボルトとナットとによる締着トルクについては予め規定のトルクが決められているはずである。そこで本実施の形態では、この規定のトルクを超えたときに破断するように連結片３１１と内連結片３１２とからなる連結片の強度を設定している。
【００３４】
（３）機能維持手段
ここでいう「機能」というのは、内ナット２０１の操作を受け付ける機能を意味している。つまり内ナット２０１はその内ヘッド２１１の外側面２１１ａにレンチなどの工具を周り止めしてセットすることができ、セットした工具でもって回転させることができるという機能を有している。これが「機能維持手段」における「機能」の意味である。
【００３５】
内ナット２０１はもとよりその内ヘッド２１１の外側面２１１ａに工具を周り止めしてセットすることができる。つまり工具をセットしてセットした工具でもって回転させるという「機能」ならば本来的に備えているはずである。では何故この機能を維持しなければならないのか。それは連結片（本実施の形態では内連結片３１２）を設けたことに起因する。図５からも分かるように、内ヘッド２１１の外側面２１１ａに設けた内連結片３１２は、その部分において明らかに工具のセットを阻んでいる。このことは破壊された後の内連結片３１２にあっても同様である。そもそも内ナット２０１を回転させるべき状況というのは、例えば送電用鉄塔を組み上げた後に何らかの事情があって鉄塔部材からボルトを抜き取る必要性が生じた場合に発生する。このときには外ナット１０１を脱落させて内ナット２０１を回転操作可能な状態にするわけであるが、破断後の内連結片３１２はその部分における工具の正しいセットを阻んでしまう。これが「機能維持手段」を必要とする理由である。
【００３６】
図３及び図４に示すように、本実施の形態は、内連結片３１２を内ヘッド２１１の外側面２１１ａの根元部分のみに配置することによって機能維持手段を構成している。こうすることで、内ヘッド２１１が有する外側面２１１ａの大半の部分にレンチなどの工具を周り止めしてセットすることが可能となる。
【００３７】
２．作用効果
本実施の形態の防犯ナット１１は、高圧送電線を支持する送電用鉄塔を構成する二つ以上の鉄塔部材をボルト（図示せず）と共に締着するのに用いられる。
つまり二つ以上の鉄塔部材を貫通したボルトに内ナット２０１の雌ネジ２１２を螺合させて締め込む。このとき、外ヘッド１１１に形成された外側面１１１ａにレンチなどの工具をセットして外ヘッド１１１を回転させる。外ヘッド１１１の回転は、内ナット２０１の当接部２５４が締着対象物である鉄塔部材に当接した後も規定の締め付けトルクになるまで継続させる。その過程で規定の締め付けトルクを超えると連結片、つまり外ヘッド１１１の内側面に形成されている外連結片３１１と内ヘッド２１１の外側面２１１ａに形成されている内連結片３１２とが破断する。これによって外ヘッド１１１は空回りすることになる。
外ヘッド１１１が空回りする結果、外ヘッド１１１を回転させて防犯ナット１１を緩めることができなくなる。このため第三者によるボルトの抜き取りが不可能になり、ボルトを抜き取ることによる送電用鉄塔の倒壊事件の発生を未然に防ぐことができる。
【００３８】
その一方で送電用鉄塔は一度設置したらメンテナンスフリーというわけにいかない。適宜鉄塔部材を改修したり交換したりする必要があるし、一度設置した鉄塔そのものを撤去することもあり得る。本実施の形態はこのような事態の発生を想定し、防犯ナット１１を緩めることができる手立てを提供している。どのようにするのかというと、外ナット１０１の一部である外ヘッド１１１をハンマーで強く打ち付ける。防犯ナット１１の軸方向に対して真横方向あるいは斜め方向からハンマーを打ち付けると効果的である。こうすることで内ナット２０１に対する外ナット１０１の取り付け部分が破壊され、外ナット１０１が脱落する。外ナット１０１が脱落すれば内ナット２０１が外部に露出するので、その内ヘッド２１１の外側面２１１ａにレンチなどの工具をセットして内ナット２０１を緩めることができる。このとき内ナット２０１は、機能維持手段によって内ヘッド２１１の外側面２１１ａに工具をセットできる状態に維持されているので、内ナット２０１を緩める作業に支障がない。
【００３９】
以上説明したように本実施の形態によれば、外ナット１０１を脱落させることができることを知らない第三者に対してはボルトの抜き取り防止効果を発揮させつつ、ボルトを抜き取らなければならない事態が発生した場合には簡単な作業によって内ナット２０１を緩めてボルトを抜き取ることができる。したがってその際の作業負担を軽くすることができる。
【００４０】
エンドリング２９１の作用効果について付言する。外ナット１０１が有する外基台１３１に形成されたフランジ１３３に連結リング２７１を固定すれば内ナット２０１に外ナット１０１が回転自在に取り付けられる。このときエンドリング２９１は何ら意味をなさないのではないかとの疑問が生ずるかもしれない。しかしそうではない。フランジ１３３と連結リング２７１との間に内ナット２０１の内基台２３１を挟み込むという内ナット２０１と外ナット１０１との連結手法は、どうしてもある程度の遊びを許容する。このため外ヘッド１１１の外側面１１１ａにレンチなどの工具をセットして防犯ナット１１を回転させる際、当接部２５４よりも先に外ナット１０１の一部が締着対象物である鉄塔部材に接触してしまう可能性がある。これによって作業がしにくくなることは勿論のこと、外ナット１０１の一部が鉄塔部材に擦れて異音が発生し、作業員にストレスをかけてしまうことが予想される。更には鉄塔部材が外ナット１０１の一部に摺られて傷ついてしまう可能性もある。エンドリング２９１は当接部２５４の突出量を一定に保ち、このような不都合な事態の発生防止に一役買うわけである。
【００４１】
もっとも、当接部２５４よりも先に外ナット１０１の一部が締着対象物である鉄塔部材に接触しないようにするためには当接部２５４の突出量を大きくすれば良いのではないかとも考えられる。しかしこの場合には防犯ナット１１が外ナット１０１と内ナット２０１との二重構造になっていることを見破られ易くなる。この意味でエンドリング２９１は、防犯ナット１１が二重構造であることを第三者に知られないようにするという反射的効果も奏することになる。
【００４２】
≪第２の実施の形態≫
第２の実施の形態を図６ないし図８に基づいて説明する。第１の実施の形態と同一部分は同一符号で示し説明も省略する。言うまでもないが、各実施の形態に共通する要素を示す図１及び図２も参照されたい。
【００４３】
１．構造
本実施の形態は、外ナット１０１と内ナット２０１とを連結する連結片及び機能維持手段の別の一例である。本実施の形態では外連結片３１１及び内連結片３１２のような固定的な連結片を設けず、外ナット１０１及び内ナット２０１とは別体の連結片３３１で両者を連結した。つまり内ナット２０１にはその内ヘッド２１１の外側面２１１ａに溝３３２を形成し、外ナット１０１にはその外ヘッド１１１の内側面に溝３３３を形成した。これらの溝３３２，３３３は防犯ナット１１の軸方向に沿わせて形成し、内連結片３１２には内ヘッド２１１の六個の角部付近、外連結片３１１には外ヘッド１１１の六面ある内側面の中央付近に配置した。そして内ヘッド２１１の溝３３２と外ヘッド１１１の溝３３３とに単一の連結片３３１を差し込み、これによって外ナット１０１と内ナット２０１とを連結した。連結片３３１は合計六枚差し込まれている。
【００４４】
内ナット２０１と外ナット１０１との間に発生する回転トルクが予め決められた規定のトルクを超えると連結片３３１が破断する点については、第１の実施の形態の連結片（連結片３１１，３１２）と同様である。
【００４５】
２．作用効果
管理者が防犯ナット１１を緩めるために外力を加えて外ナット１０１を脱落させた際、露出した内ナット２０１から連結片３３１を取り除くことができる。あるいは連結片３３１は外ナット１０１の脱落と共に脱落することも起こり得る。これによって内ナット２０１が備える内ヘッド２１１の外側面１１１ａにレンチなどの工具をセットすることが可能になる。これが本実施の形態の機能維持手段である。
【００４６】
≪第３の実施の形態≫
第３の実施の形態を図９ないし図１１に基づいて説明する。第１及び第２の実施の形態と同一部分は同一符号で示し説明も省略する。言うまでもないが、各実施の形態に共通する要素を示す図１及び図２も参照されたい。
【００４７】
１．構造
本実施の形態は、外ナット１０１と内ナット２０１とを連結する連結片及び機能維持手段の更に別の一例である。本実施の形態では外ナット１０１にだけ連結片、つまり連結片３５１を六枚固定的に設け、この連結片３５１と内ナット２０１との連結を第２の実施の形態のようにした。つまり外ナット１０１にはその外ヘッド１１１の内側面に連結片３５１を固定的に設け、内ナット２０１にはその内ヘッド２１１の外側面２１１ａに溝３５２を形成した。溝３５２は防犯ナット１１の軸方向に沿わせて形成し、内ヘッド２１１の六個の角部付近に配置した。連結片３５１は外ヘッド１１１の六面ある内側面の中央付近から中心方向に延ばし、内ヘッド２１１の外側面２１１ａに形成した溝３５２に嵌り込むようにした。
【００４８】
内ナット２０１と外ナット１０１との間に発生する回転トルクが予め決められた規定のトルクを超えると連結片３５１が破断する点については、第１の実施の形態の連結片（連結片３１１，３１２）及び第２の実施の形態の連結片３３１と同様である。
【００４９】
２．作用効果
管理者が防犯ナット１１を緩めるために外力を加えて外ナット１０１を脱落させた際、連結片３５１も外ナット１０１に伴われて内ナット２０１から脱落するので、露出した内ナット２０１を連結片３５１がない状態にすることができる。これによって内ナット２０１が備える内ヘッド２１１の外側面１１１ａにレンチなどの工具をセットすることができる。これが本実施の形態の機能維持手段である。
【００５０】
≪変形例≫
第１〜第３の実施の形態の実施に際しては各種の変形や変更が可能である。
例えば第１〜第３の実施の形態では連結片（第１の実施の形態の外連結片３１１と内連結片３１２、第２の実施の形態の連結片３３１、第３の実施の形態の連結片３５１）を用いた内ナット２０１と外ナット１０１との連結箇所を六ヶ所としたが、連結箇所はより少なくても多くても良い。あるいは連結箇所の個数を選択することで破断に至るまでの規定のトルクを適宜調節することも可能である。
また第１〜第３の実施の形態では外ヘッド１１１の外側面１１１ａの中央付近と内ヘッド２１１の外側面２１１ａの角部付近とを互いの連結場所として選んだが、連結場所は他の部分であってもよい。例えば反対に外ヘッド１１１の外側面１１１ａの角部付近と内ヘッド２１１の外側面２１１ａの中央付近とを互いの連結場所としてもよい。
【符号の説明】
【００５１】
１０１    外ナット
１１１ａ  外側面
２０１    内ナット
２１１ａ  外側面
２１２    雌ネジ
２５４    当接部
３１１    外連結片（連結片）
３１２    内連結片（連結片）
３３１    連結片
３３２    溝
３３３    溝
３５１    連結片
３５２    溝
【図１】
2014084925.tif 000003
【図２】
2014084925.tif 000004
【図３】
2014084925.tif 000005
【図４】
2014084925.tif 000006
【図５】
2014084925.tif 000007
【図６】
2014084925.tif 000008
【図７】
2014084925.tif 000009
【図８】
2014084925.tif 000010
【図９】
2014084925.tif 000011
【図１０】
2014084925.tif 000012
【図１１】
2014084925.tif 000013